(57)【要約】      （修正有）【課題】同一の印刷ジョブの無駄な重複印刷や目的に合わない印刷物の無駄な印刷を回避する印刷ジョブ管理装置を提供する。【解決手段】印刷装置の印刷ジョブ管理部は、印刷ジョブの終了履歴の情報を記憶する終了履歴記憶部３３と、終了履歴の情報に対する付加情報の入力を受け付ける付加情報入力受付部３４と、終了履歴の印刷ジョブと新たに入力された印刷ジョブとを比較して、新たに入力された印刷ジョブと同じ印刷ジョブであって、かつ付加情報が付加された印刷ジョブが存在するか否かを判定する印刷ジョブ判定部３５と、印刷ジョブ判定部３５によって新たに入力された印刷ジョブと同じ印刷ジョブであって、かつ付加情報が付加された印刷ジョブが存在すると判定された際、その付加情報を提示する付加情報提示部３６と、付加情報の提示後、新たに入力された印刷ジョブの印刷処理の継続に関する情報の入力を受け付ける継続情報受付部３７とを備える。【選択図】図２
2020004008.tif 000002
【特許請求の範囲】
【請求項１】
ユーザが印刷装置を用いて印刷処理を行った際、該印刷処理の対象の印刷ジョブの終了履歴の情報を前記ユーザと対応付けて記憶する終了履歴記憶部と、
前記終了履歴の情報に対応付けられたユーザによる前記終了履歴の情報に対する付加情報の入力を受け付ける付加情報入力受付部と、
前記終了履歴記憶部に記憶された終了履歴の印刷ジョブと新たに入力された印刷ジョブとを比較して、前記新たに入力された印刷ジョブと同じ印刷ジョブであって、かつ前記付加情報が付加された印刷ジョブが、前記終了履歴の印刷ジョブの中に存在するか否かを判定する印刷ジョブ判定部と、
前記印刷ジョブ判定部によって前記新たに入力された印刷ジョブと同じ印刷ジョブであって、かつ前記付加情報が付加された印刷ジョブが存在すると判定された際、前記同じ印刷ジョブに付加された前記付加情報を提示する付加情報提示部と、
前記付加情報の提示後、前記新たに入力された印刷ジョブの印刷処理の継続に関する情報の入力を受け付ける継続情報受付部とを備えた印刷ジョブ管理装置。
【請求項２】
前記印刷ジョブ判定部が、前記終了履歴記憶部に記憶されている終了履歴の印刷ジョブのうち、前記付加情報が付加されている印刷ジョブを抽出し、該抽出した印刷ジョブと前記新たに入力された印刷ジョブとを比較する請求項１記載の印刷ジョブ管理装置。
【請求項３】
前記継続情報受付部が、前記印刷処理の継続に関する情報として、前記印刷処理に関する印刷条件の変更の入力を受け付ける請求項１または２記載の印刷ジョブ管理装置。
【発明の詳細な説明】
【技術分野】
【０００１】
本発明は、複数のユーザが印刷ジョブに関する情報を共有することができる印刷ジョブ管理装置に関し、特に、終了履歴の印刷ジョブの情報を共有することができる印刷ジョブ管理装置に関する。
【背景技術】
【０００２】
従来、ネットワーク上に接続された印刷装置を複数のユーザが利用して印刷処理を行う印刷システムが提案されている。このような印刷システムにおいては、たとえば各ユーザがコンピュータを用いて印刷装置にログインし、コンピュータから印刷装置に対して印刷ジョブを出力して印刷処理が行われる。
【先行技術文献】
【特許文献】
【０００３】
【特許文献１】特開２００２−３５１６３４号公報
【発明の概要】
【発明が解決しようとする課題】
【０００４】
ここで、上述したような印刷システムにおいて、たとえば同一の配布物を他のユーザが既に印刷していることを知らずに、必要以上の部数を重複して印刷してしまうことがある。また、印刷後に印刷物を見て目的に合わない印刷物であることが判明したり、他者からの指摘により目的の作業に使えないことが判明したりして、印刷物を無駄にしてしまうことがあった。
【０００５】
このような無駄な印刷はなくすことが望ましいが、従来、このような無駄な印刷をなくすための手段を備えた印刷システムは知られていなかった。
【０００６】
たとえば特許文献１では、同一のユーザによる重複印刷を防止する方法が提案されているが、特許文献１に記載の方法では、他のユーザが同じ印刷ジョブを印刷することは全く想定されておらず、上述した他のユーザによる重複印刷の問題を解決することはできない。
【０００７】
本発明は、上記事情に鑑み、同一の印刷ジョブの無駄な重複印刷や目的に合わない印刷物の無駄な印刷を回避することができる印刷ジョブ管理装置を提供することを目的とするものである。
【課題を解決するための手段】
【０００８】
本発明の印刷ジョブ管理装置は、ユーザが印刷装置を用いて印刷処理を行った際、その印刷処理の対象の印刷ジョブの終了履歴の情報をユーザと対応付けて記憶する終了履歴記憶部と、終了履歴の情報に対応付けられたユーザによる終了履歴の情報に対する付加情報の入力を受け付ける付加情報入力受付部と、終了履歴記憶部に記憶された終了履歴の印刷ジョブと新たに入力された印刷ジョブとを比較して、新たに入力された印刷ジョブと同じ印刷ジョブであって、かつ付加情報が付加された印刷ジョブが、終了履歴の印刷ジョブの中に存在するか否かを判定する印刷ジョブ判定部と、印刷ジョブ判定部によって新たに入力された印刷ジョブと同じ印刷ジョブであって、かつ付加情報が付加された印刷ジョブが存在すると判定された際、同じ印刷ジョブに付加された付加情報を提示する付加情報提示部と、付加情報の提示後、新たに入力された印刷ジョブの印刷処理の継続に関する情報の入力を受け付ける継続情報受付部とを備える。
【発明の効果】
【０００９】
本発明の印刷ジョブ管理装置によれば、既に印刷処理を行った終了履歴の印刷ジョブに対する付加情報の入力を受け付ける。そして、新たに入力された印刷ジョブと終了履歴の印刷ジョブとを比較して、新たに入力された印刷ジョブと同じ印刷ジョブであって、かつ付加情報が付加された印刷ジョブが、終了履歴の印刷ジョブの中に存在する場合には、その同じ印刷ジョブに付加された付加情報を提示する。
【００１０】
この付加情報に提示により、以前に終了履歴の印刷ジョブが印刷された際における印刷物の状況を把握することができる。そして、その印刷物の状況に応じて、新たに入力された印刷ジョブの印刷処理の継続に関する情報の入力を受け付けるので、印刷物の状況によって印刷処理を継続したり、中止したりすることができ、無駄な印刷を回避することができる。すなわち、同一の印刷ジョブの無駄な重複印刷や目的に合わない印刷物の無駄な印刷を回避することができる。
【図面の簡単な説明】
【００１１】
【図１】本発明の印刷ジョブ管理装置の一実施形態を用いた印刷システムの構成を示すブロック図
【図２】本発明の印刷ジョブ管理装置の一実施形態である印刷ジョブ管理部の構成を示すブロック図
【図３】ユーザの識別情報とそのユーザの所属の情報とを対応付けたテーブルの一例を示す図
【図４】終了履歴のリスト表示の一例を示す図
【図５】終了履歴の印刷ジョブに対してコメントを付加する処理を説明するためのフローチャート
【図６】コメント入力画面の一例を示す図
【図７】コメント入力画面のその他の例を示す図
【図８】コメント表示画面の一例を示す図
【図９】コメント表示画面のその他の例を示す図
【図１０】コメント表示画面のその他の例を示す図
【図１１】図１に示す印刷システムを用いた印刷処理の流れを説明するためのフローチャート
【発明を実施するための形態】
【００１２】
以下、図面を参照して本発明の印刷ジョブ管理装置の一実施形態を用いた印刷システムについて詳細に説明する。図１は、本実施形態の印刷システム１の概略構成図である。
【００１３】
本実施形態の印刷システム１は、図１に示すように、複数の印刷ジョブ出力装置１０と、印刷装置２０とを備えている。複数の印刷ジョブ出力装置１０と印刷装置２０とは、有線または無線ＬＡＮ（Local Area Network）などのネットワーク回線もしくはインターネット回線などの通信回線Ｎを介して接続される。なお、図１においては、３台の印刷ジョブ出力装置１０が通信回線Ｎを介して印刷装置２０に接続されているが、印刷ジョブ出力装置１０の数はこれに限らず、少なくとも１台の印刷ジョブ出力装置１０が印刷装置２０に接続されていればよく、４台以上の印刷ジョブ出力装置１０を印刷装置２０に接続するようにしてもよい。
【００１４】
各印刷ジョブ出力装置１０においては、印刷装置２０のＩＰ（Internet Protocol）アドレスが設定されており、このＩＰアドレスによって各印刷ジョブ出力装置１０が印刷装置２０を認識し、接続可能に構成されている。また、印刷装置２０には、印刷装置２０を使用可能なユーザの識別情報が記憶されている。ユーザは、各印刷ジョブ出力装置１０のモニタに表示されたログイン画面に自身の識別情報（ＩＤ）およびパスワードを設定入力することによって印刷装置２０にログインし、これにより印刷装置２０による印刷処理が可能となる。また、ユーザは、印刷装置２０にログインした後、各印刷ジョブ出力装置１０のモニタにおいてコンソール画面を表示させ、そのコンソール画面上において、印刷ジョブの状態（印刷中、待機中など）および印刷装置２０の消耗品の状態（インク、印刷用紙の残量など）を確認したり、印刷装置２０における種々の設定が可能に構成されている。
【００１５】
印刷ジョブ出力装置１０は、たとえば印刷装置２０のプリンタドライバがインストールされたコンピュータから構成される。印刷ジョブ出力装置１０においては、ユーザによって任意のアプリケーションを用いるなどして、印刷処理対象の画像データが生成される。そして、印刷装置２０において印刷処理を行う際には、印刷ジョブ出力装置１０にインストールされたプリンタドライバが起動され、そのプリンタドライバ上において、種々の印刷条件が設定される。印刷条件としては、たとえば片面印刷または両面印刷、印刷枚数、印刷部数、印刷濃度および印刷媒体の種類などがある。
【００１６】
印刷ジョブ出力装置１０は、プリンタドライバ上で種々の印刷条件の設定入力を受け付けた後、印刷指示の入力を受け付け、ユーザによって生成された画像データと設定入力された印刷条件に基づいて、ＰＤＬ（Page Description Language）形式の印刷ジョブを生成して印刷装置２０に出力する。
【００１７】
印刷装置２０は、印刷ジョブ出力装置１０から出力された印刷ジョブに基づいて、紙やフィルムなどといったシート状の印刷媒体に対して印刷処理を行う。印刷装置２０としては、たとえばインクジェット印刷装置、レーザ印刷装置および孔版印刷装置などを用いることができる。
【００１８】
印刷装置２０は、図１に示すように、制御部２１、印刷処理部２２および操作パネル２３を備えている。
【００１９】
制御部２１は、印刷装置２０全体を制御して印刷処理を実行するものであり、ＣＰＵ（Central Processing Unit）並びに半導体メモリおよびハードディスクなどの記憶媒体を備えている。具体的には、制御部２１は、印刷ジョブ管理部３０および画像処理部３１を備えている。なお、印刷ジョブ管理部３０は、本発明の印刷ジョブ管理装置の一実施形態に相当するものである。
【００２０】
印刷ジョブ管理部３０は、図２に示すように、ユーザ情報記憶部３２、終了履歴記憶部３３、付加情報入力受付部３４、印刷ジョブ判定部３５、付加情報提示部３６および継続情報受付部３７を備えている。制御部２１の記憶媒体には、印刷ジョブ管理プログラムがインストールされており、この印刷ジョブ管理プログラムがＣＰＵによって実行されることにより、印刷ジョブ管理部３０の各部が機能する。なお、印刷ジョブ管理部３０の付加情報入力受付部３４、印刷ジョブ判定部３５、付加情報提示部３６および継続情報受付部３７については、プログラムとして構成するようにしてもよいし、一部をハードウェアによって実現するようにしてもよい。
【００２１】
ユーザ情報記憶部３２は、半導体メモリやハードディスクなどの記憶媒体から構成され、印刷装置２０を使用可能なユーザの識別情報およびその識別情報に対応付けられたパスワードを記憶する。印刷ジョブ管理部３０は、上述した印刷ジョブ出力装置１０において入力されたユーザの識別情報（ＩＤ）およびパスワードの入力を受け付け、その受け付けたユーザの識別情報およびパスワードと、ユーザ情報記憶部３２に予め記憶されたユーザの識別情報およびパスワードとを照合し、ユーザのログインを許可するか否かを判定する。
【００２２】
また、ユーザ情報記憶部３２は、ユーザの識別情報をそのユーザの所属の情報と対応づけて記憶する。具体的には、ユーザ情報記憶部３２は、ユーザの識別情報とそのユーザの所属の情報を、図３に示すようなテーブルとして記憶する。なお、ユーザの所属の情報については、印刷ジョブ出力装置１０において設定入力され、ユーザの所属に変更があった場合には、印刷ジョブ出力装置１０において変更後の所属が設定入力され、ユーザ情報記憶部３２における所属の情報が変更される。なお、ユーザの所属については、後述する印刷装置２０の操作パネル２３において設定入力および変更を受け付けるようにしてもよい。
【００２３】
終了履歴記憶部３３は、半導体メモリやハードディスクなどの記憶媒体から構成され、印刷装置２０にログインしたユーザが印刷処理を行った際、その印刷処理対象の印刷ジョブの終了履歴の情報をユーザと対応付けて記憶する。終了履歴記憶部３３に記憶された印刷ジョブの終了履歴は、印刷ジョブ管理部３０によって印刷ジョブ出力装置１０に出力され、印刷ジョブ出力装置１０のモニタに表示される。印刷ジョブの終了履歴は、モニタにリスト表示されるが、この際、印刷装置２０にログインしているユーザの終了履歴のみが表示される。
【００２４】
図４は、終了履歴のリスト表示の一例を示す図である。図４は、印刷ジョブ出力装置１０のモニタに表示されるコンソール画面であり、「終了（履歴）」ボタンをユーザ（Ａさん）が選択することによって、図４に示すような、Ａさんの印刷ジョブの終了履歴がリスト表示される。終了履歴のリスト表示においては、印刷ジョブの名前（文書名／ジョブ名）、ユーザの名前（オーナー）、印刷部数または印刷枚数、および印刷処理が行われた日時などが表示される。
【００２５】
付加情報入力受付部３４は、終了履歴の情報に対応付けられたユーザによる終了履歴の情報に対する付加情報の入力を受け付ける。以下、図５に示すフローチャートを参照しながら、終了履歴の印刷ジョブに対して、付加情報としてユーザのコメントを付加する処理について説明する。なお、本明細書において、付加情報とは、印刷終了したジョブに関して付加する情報であって、そのジョブと同一のジョブを印刷する人が印刷前に知ることで役に立つような情報のことを言うものとする。
【００２６】
まず、ユーザは、印刷ジョブ出力装置１０のモニタにログイン画面を表示させ、ログイン画面に識別情報（ＩＤ）およびパスワードを入力し、印刷装置２０にログインする（Ｓ１０）。次に、ユーザは、表示されたコンソール画面で終了履歴のボタンを選択し（Ｓ１２）、これによりユーザの終了履歴がリスト表示される。次に、図４に示す終了履歴のリスト表示において、ユーザによって、コメントを付加する印刷ジョブが選択される（Ｓ１４）。そして、付加情報入力受付部３４は、図４に示す「コメント入力ＯＮ」ボタンが選択されると（Ｓ１６）、印刷ジョブ出力装置１０のモニタにコメント入力画面を表示させる（Ｓ１８）。
【００２７】
図６および図７は、コメント入力画面の一例を示す図である。ユーザは、印刷ジョブ出力装置１０が有するキーボードやマウスなどの入力デバイスを用いて、図６および図７に示すコメント入力画面に対してコメントを入力する（Ｓ２０）。たとえば終了履歴の印刷ジョブの中に機密情報が含まれる場合には、後で同じ印刷ジョブを印刷するユーザに対して機密情報が含まれることを報知し、不用意に印刷を行わないように促すため、図６に示すように「機密情報有り」とのコメントが入力される。
【００２８】
また、たとえばユーザが終了履歴の印刷ジョブを印刷した結果、その画質が低く、展示会用には適していないと判断した場合には、後で同じ印刷ジョブを印刷するユーザに対して展示会使用には不向きであることを報知し、無駄な印刷を行わないように促すため、図７に示すように、「低画質により展示会使用に不向き」とのコメントが入力される。
【００２９】
なお、コメント入力画面に入力されるコメントは上記の例に限らず、後で同じ印刷ジョブを印刷するユーザに対して報知すべき種々の任意の内容が入力される。
【００３０】
また、図６および図７に示すように、付加情報入力受付部３４は、コメント入力画面において、コメント入力欄の他に、選択された印刷ジョブの名前（ジョブ名／文書名）、その印刷ジョブの印刷処理を行ったユーザの氏名（氏名）およびそのユーザの所属（グループ名）を表示させる。
【００３１】
図６および図７に示すコメント入力画面において、「ＯＫ」ボタンが押されると、付加情報入力受付部３４は、コメント入力欄に入力されたコメントを受け付け、終了履歴の印刷ジョブと対応づけて記憶する（Ｓ２２）。
【００３２】
なお、終了履歴の印刷ジョブに付加されたコメントは一旦記憶された後、再びその印刷ジョブのコメントを付加したユーザによって読み出し、編集、修正を可能としてもよい。
【００３３】
次に、印刷ジョブ判定部３５は、印刷ジョブ出力装置１０から出力されて印刷装置２０に新たに入力された印刷ジョブと、終了履歴記憶部３３に記憶された終了履歴の印刷ジョブとを比較して、新たに入力された印刷ジョブと同じ印刷ジョブであって、かつ上述した付加情報としてのコメントが付加された印刷ジョブが、終了履歴記憶部３３に記憶された終了履歴の印刷ジョブの中に存在するか否かを判定する。
【００３４】
本実施形態の印刷ジョブ判定部３５は、具体的には、まず、終了履歴記憶部３３に記憶されている終了履歴の印刷ジョブのうち、付加情報としてのコメントが付加されている印刷ジョブを抽出する。コメントが付加されている印刷ジョブの抽出方法については、たとえば終了履歴の印刷ジョブに対してフラグを設け、コメントが付加された印刷ジョブについてはフラグを「１」とし、コメントが付加されていない印刷ジョブについてはフラグを「０」とすればよい。または、終了履歴の印刷ジョブのヘッダー情報として、コメントの有無の情報を設けるようにしてもよい。
【００３５】
次に、印刷ジョブ判定部３５は、抽出したコメントが付加された印刷ジョブと、新たに入力された印刷ジョブとを比較する。本実施形態では、終了履歴記憶部３３に記憶された全ての印刷ジョブとの比較を行うのではなく、コメントが付加された印刷ジョブについてのみ比較を行うようにしたので、比較処理の付加を軽減することができ、高速に処理することができる。
【００３６】
具体的には、印刷ジョブ判定部３５は、コメントが付加された印刷ジョブの名前および更新日時と、新たに入力された印刷ジョブの名前および更新日時とを比較し、これらが同一であるか否かを判定することによって、同一の印刷ジョブであるか否かを判定する。
【００３７】
印刷ジョブの更新日時を比較するのは、印刷ジョブのバージョンが同じであるかを比較するためであり、これにより同一の印刷ジョブの判定精度を上げることができる。なお、印刷ジョブが同一であるか否かの判定方法については、これに限らず、印刷ジョブの名前だけを比較するようにしてもよいし、その他の印刷ジョブの情報を比較する方法を用いるようにしてもよい。
【００３８】
付加情報提示部３６は、印刷ジョブ判定部３５において、新たに入力された印刷ジョブと同じ印刷ジョブであって、かつコメントが付加された印刷ジョブが存在すると判定された際、その同じ印刷ジョブに付加されたコメントを提示する。
【００３９】
具体的には、付加情報提示部３６は、終了履歴の印刷ジョブのうち、新たに入力された印刷ジョブと同一の印刷ジョブが存在する場合には、その同一の印刷ジョブに付加されたコメントを印刷ジョブ出力装置１０に出力し、印刷ジョブ出力装置１０のモニタに表示させる。
【００４０】
図８〜図１０は、印刷ジョブ出力装置１０のモニタに表示されるコメント表示画面の一例を示す図である。付加情報提示部３６は、図８〜図１０に示すように、コメント表示画面において、ユーザによって付加されたコメントを表示させる。図８に示す例では、コメントとして「機密情報有り」が表示されている。このコメントによって、後に同じ印刷ジョブを印刷する他のユーザに対して、機密情報が含まれていることを報知することができ、不用意に印刷してしまうのを防止することができる。
【００４１】
また、図９に示す例では、コメントとして「低画質により展示会使用に不向き」が表示されている。このコメントによって、後に同じ印刷ジョブを印刷する他のユーザに対して、展示会用には不向きであることを報知することができ、無駄な印刷を回避することができる。また、印刷条件の変更を促すことができる。
【００４２】
また、図１０に示す例では、コメントとして「Ｒｅｖ１．２  ９／２９に１００部印刷済  Ｅ」が表示されている。図１０に示すコメントにおける「Ｒｅｖ１．２」はバージョン情報であり、「９／２９」は印刷処理を行った日時であり、「Ｅ」は印刷処理を行ったユーザの名前である。このコメントによって、後に同じ印刷ジョブを印刷する他のユーザに対して、既に印刷した部数を報知することができ、同じ印刷ジョブを無駄に印刷してしまうのを防止することができる。また、図１０に示すように、バージョン情報（Ｒｅｖ１．２）をコメントとして記入しておくことで、誤って同じ名前の印刷ジョブであって、校正前の印刷ジョブを印刷してしまうのを回避することができる。
【００４３】
また、付加情報提示部３６は、コメント表示画面において、コメントの他に、印刷ジョブの名前（ジョブ名／文書名）、コメントを付加したユーザの名前（氏名）、そのユーザの所属（グループ）を表示させる。付加情報提示部３６は、終了履歴記憶部３３から印刷ジョブの名前およびコメントを付加したユーザの名前を自動的に取得し、ユーザ情報記憶部３２から、その印刷ジョブに対応付けて記憶されたユーザの所属の情報を自動的に取得して表示させる。このようにコメントを付加したユーザの名前および所属を表示させることによって、後に同じ印刷ジョブを印刷する他のユーザが、以前にどこの所属の誰が同じ印刷ジョブを印刷したかを把握することができる。
【００４４】
また、コメント表示画面の右隅には、新たに入力された印刷ジョブの印刷部数（部数８）が表示される。このように新たに入力された印刷ジョブの印刷部数または印刷枚数などをコメント表示画面に表示させることによって、コメント内に記載された既に印刷済みの印刷部数（１００部）と合わせて参照することができ、さらに継続して印刷処理を進める必要があるか否かの判断材料とすることができる。
【００４５】
なお、コメント表示画面に表示する内容は、上記の項目に限らず、その他の項目を表示させるようにしてもよい。具体的には、たとえば印刷ジョブに含まれるその他の印刷条件をコメント表示画面に表示させるようにしてもよい。
【００４６】
また、付加情報提示部３６は、新たに入力された印刷ジョブと同じ印刷ジョブであって、かつコメントが付加された印刷ジョブが複数存在する場合には、その複数の印刷ジョブのそれぞれに付加されたコメントをモニタに表示させる。これにより、ユーザは、同じ印刷ジョブに付加されたコメントを全て確認することができ、その後の印刷処理の判断を適切に行うことができる。たとえばコメントとして印刷部数が表示されている場合には、各コメントの印刷部数を加算した印刷部数を把握することができる。
【００４７】
なお、付加情報提示部３６は、コメントの表示の有無を切り替え可能に構成されている。すなわち、付加情報提示部３６によるコメント表示は、ユーザの要求に応じてオフにすることができる。これにより、コメント表示が煩わしいと考えるユーザに対しては、コメント表示することなく、印刷処理をスムーズに進めることができる。コメント表示の有無の切り替えについては、たとえばモニタに表示されたコンソール画面上で行えるようにすればよい。
【００４８】
また、付加情報提示部３６によるコメント表示は、上述したように新たな印刷ジョブの印刷指示が行われた際にのみ実施される。たとえば印刷指示前に他のユーザによってコメントを参照可能とした場合、セキュリティ上の問題があるからである。
【００４９】
次に、継続情報受付部３７は、上述したように付加情報提示部３６によってコメントが提示された際、新たに入力された印刷ジョブの印刷処理の継続に関する情報の入力を受け付ける。継続情報受付部３７は、具体的には、図８に示すように、コメント表示画面において、「継続」ボタン、「中止」ボタンおよび「変更」ボタンを表示させる。そして、継続情報受付部３７は、ユーザによって「継続」ボタンが選択された場合には、その情報を受け付けて、新たに入力された印刷ジョブの印刷処理を継続させる。また、ユーザによって「中止」ボタンが選択された場合には、その情報を受け付けて、新たに入力された印刷ジョブの印刷処理を中止させる。
【００５０】
また、継続情報受付部３７は、「変更」ボタンが選択された場合には、新たに入力された印刷ジョブの印刷条件の変更を受け付け、その変更後の印刷条件で印刷処理を継続させる。ユーザは、印刷条件の変更として、たとえばコメント表示画面のコメントの印刷部数（印刷枚数）に応じて、新たに入力された印刷ジョブの印刷部数（印刷枚数）を増減させる。また、ユーザは、画質の低下についてコメントされている場合には、たとえば印刷濃度または解像度を変更することによって、画質を向上させる。なお、印刷条件の変更としては、これらに限らず、印刷装置２０の機能に応じて適宜その他の変更を受け付けることができる。このように印刷条件の変更を受け付けることによって、これまでの操作を無駄にすることなく、適切な印刷処理を継続して行うことができる。
【００５１】
図１に戻り、画像処理部３１は、印刷ジョブ管理部３０において印刷処理を継続すると判定された印刷ジョブに対して種々の処理を施して、印刷処理部２２を駆動するための印刷データを生成する。具体的には、たとえば印刷処理部２２が、インクジェットヘッドにより印刷処理を行う場合には、画像処理部３１は、まず、印刷ジョブに対してＲＩＰ（Raster Image Processor）処理を施してＲＧＢ形式の画像データを生成する。
【００５２】
次いで、画像処理部３１は、色変換テーブルなどを用いてＲＧＢ形式の画像データをＣＭＹＫ形式の画像データに変換し、そのＣＭＹＫ形式の画像データに対してハーフトーン処理を施して、各色のドロップデータを印刷データとして生成する。ハーフトーン処理としては、誤差拡散処理やディザマスク処理が用いられる。なお、印刷処理部２２がレーザ印刷処理または孔版印刷処理を行う場合には、これらの印刷方式に応じた処理が印刷ジョブに対して施される。
【００５３】
印刷処理部２２は、画像処理部３１から出力された印刷データに基づいて、印刷媒体に対して印刷処理を施す。印刷処理部２２は、たとえば印刷媒体を搬送する搬送部および搬送部によって搬送された印刷媒体に対してインクを吐出するインクジェットヘッドなどを備える。
【００５４】
操作パネル２３は、たとえば液晶ディスプレイを有するタッチパネルから構成され、印刷処理に関する種々の設定入力およびユーザによる種々の指示入力を受け付ける。
【００５５】
次に、本実施形態の印刷システム１を用いた印刷処理の流れについて、図１１に示すフローチャートを参照しながら説明する。
【００５６】
まず、印刷ジョブ出力装置１０において印刷ジョブが作成された後、印刷装置２０へのログイン画面がモニタに表示される。そして、ユーザによってログイン画面上において識別情報（ＩＤ）およびパスワードが設定入力され、ユーザ情報記憶部３２に記憶された識別（ＩＤ）およびパスワードと照合されてログインが許可される（Ｓ３０）。
【００５７】
次に、印刷ジョブ出力装置１０のプリンタドライバにおいて、ユーザにより印刷指示が入力されると、印刷ジョブ出力装置１０から印刷装置２０に印刷ジョブが出力され、印刷装置２０の印刷ジョブ管理部３０に入力される（Ｓ３２）。
【００５８】
そして、印刷ジョブ管理部３０は、新たな印刷ジョブの入力を受け付けると、終了履歴記憶部３３に記憶された印刷ジョブであって、コメントが付加された印刷ジョブを抽出し、その抽出した印刷ジョブと新たに入力された印刷ジョブとを比較し、抽出した印刷ジョブの中に、新たに入力された印刷ジョブと同一の印刷ジョブが存在するか否かを判定する（Ｓ３４）。
【００５９】
抽出された印刷ジョブの中に、新たに入力された印刷ジョブと同一の印刷ジョブが存在すると判定された場合には（Ｓ３４,ＹＥＳ）、その同一の印刷ジョブに付加されたコメントが印刷ジョブ出力装置１０のモニタに表示される（Ｓ３６）。
【００６０】
そして、ユーザは、モニタに表示されたコメントを参照し、継続して印刷処理を行うか否かを判断し、継続して印刷処理を行う場合には（Ｓ３８,ＹＥＳ）、コメント表示画面における「継続」ボタンを選択し、これにより新たな入力された印刷ジョブについて印刷処理が開始される（Ｓ４０）。一方、ユーザは、モニタに表示されたコメントを参照した結果、印刷処理が不要と判断した場合には（Ｓ４２,中止）、コメント表示画面における「中止」ボタンを選択し、そのまま処理を終了する。また、ユーザは、モニタに表示されたコメントを参照した結果、印刷条件を変更して印刷処理を行うと判断した場合には（Ｓ４２,印刷条件の変更）、コメント表示画面における「変更」ボタンを選択する。ユーザによって「変更」ボタンが選択された場合には、モニタに印刷条件の変更を受け付ける画面が表示され、ユーザによって変更後の印刷条件が設定入力される（Ｓ４４）。そして、その後、ユーザによって「継続」ボタンが選択されると、変更後の印刷条件に基づいて、新たな入力された印刷ジョブについて印刷処理が開始される（Ｓ４０）。
【００６１】
また、Ｓ４４において、抽出された印刷ジョブの中に、新たに入力された印刷ジョブと同一の印刷ジョブが存在しないと判定された場合には（Ｓ４４,ＮＯ）、コメント表示されることなく、そのまま印刷処理が開始される（Ｓ４０）。
【００６２】
なお、上記実施形態においては、ログイン画面、コンソール画面、印刷ジョブの終了履歴、コメント入力画面およびコメント表示画面を印刷ジョブ出力装置１０のモニタに表示させるようにしたが、印刷装置２０の操作パネル２３にこれらを表示させるようにしてもよい。この際、ユーザは、印刷装置２０の操作パネル２３に表示されたログイン画面において、識別情報（ＩＤ）およびパスワードを設定入力して印刷装置２０にログインする。そして、操作パネル２３に表示されたコンソール画面上において終了履歴を選択し、終了履歴の印刷ジョブの中からコメントを付加する印刷ジョブを選択し、コメント入力画面においてコメントを設定入力する。
【００６３】
そして、ユーザが、印刷装置２０の操作パネル２３において、新たな印刷ジョブの印刷指示を入力した際に、上述した印刷ジョブ判定部３５における判定を行い、終了履歴の印刷ジョブの中に同一の印刷ジョブであって、コメントが付加された印刷ジョブが存在する場合に、その終了履歴の印刷ジョブに付加されたコメントをコメント表示画面とともに表示させる。なお、コメント表示画面は、操作パネル２３ではなく、印刷ジョブ出力装置１０のモニタに表示させるようにしてもよい。
【００６４】
印刷装置２０の操作パネル２３において新たな印刷ジョブの印刷指示を入力する場合としては、たとえば印刷装置２０のハードディスクなどの記憶媒体にボックス保存された印刷ジョブを読み出して印刷する場合やＵＳＢ（Universal Serial Bus）メモリを印刷装置２０に接続し、そのＵＳＢメモリに保存された印刷ジョブを読み出して印刷する場合などがある。また、印刷ジョブ出力装置１０から出力された印刷ジョブであって、印刷可能なユーザを限定したセキュリティジョブを印刷装置２０において印刷する場合にも、印刷装置２０の操作パネル２３においてユーザ認証が行われ、印刷指示が入力される。
【００６５】
また、上記実施形態において、終了履歴記憶部３３に記憶される印刷ジョブは予め設定された期間を経過した時点で削除するようにしてもよい。その場合、コメントが付加されていない印刷ジョブの保存期間よりもコメントが付加された印刷ジョブの保存期間を長く設定することが好ましい。なお、この保存期間の設定については、管理者権限を有するユーザのみが行えるようにすることが好ましい。
【００６６】
また、上記実施形態の印刷システム１においては、印刷ジョブ管理部３０を印刷装置２０内に設けるようにしたが、印刷ジョブ管理部３０の全部または一部を印刷ジョブ出力装置１０または印刷装置２０とは異なる装置であって、通信回線Ｎに接続されたその他の装置に設けるようにしてもよい。
【００６７】
本発明の印刷ジョブ管理装置に関し、さらに以下の付記を開示する。
（付記）
【００６８】
上記本発明の印刷ジョブ管理装置においては、印刷装置を使用可能なユーザの識別情報を記憶するユーザ情報記憶部を有することができ、ユーザ情報記憶部は、ユーザの情報を該ユーザの所属の情報と対応付けて記憶し、付加情報提示部は、付加情報とともに、ユーザの情報およびユーザの所属の情報を提示することができる。
【００６９】
また、上記本発明の印刷ジョブ管理装置において、印刷ジョブ判定部は、終了履歴記憶部に記憶されている終了履歴の印刷ジョブのうち、付加情報が付加されている印刷ジョブを抽出し、その抽出した印刷ジョブと新たに入力された印刷ジョブとを比較することができる。
【００７０】
また、上記本発明の印刷ジョブ管理装置において、付加情報提示部は、付加情報の提示の有無を切り替えることができる。
【００７１】
また、上記本発明の印刷ジョブ管理装置において、付加情報提示部は、新たに入力された印刷ジョブと同じ印刷ジョブであると判定された印刷ジョブが複数存在する場合には、その複数の印刷ジョブに付加された複数の付加情報を提示することができる。
【００７２】
また、上記本発明の印刷ジョブ管理装置において、継続情報受付部は、印刷処理の継続に関する情報として、印刷処理に関する印刷条件の変更の入力を受け付けることができる。
【符号の説明】
【００７３】
１    印刷システム
１０  印刷ジョブ出力装置
２０  印刷装置
２１  制御部
２２  印刷処理部
２３  操作パネル
３０  印刷ジョブ管理部
３１  画像処理部
３２  ユーザ情報記憶部
３３  終了履歴記憶部
３４  付加情報入力受付部
３５  印刷ジョブ判定部
３６  付加情報提示部
３７  継続情報受付部
Ｎ    通信回線
【図１】
2020004008.tif 000003
【図２】
2020004008.tif 000004
【図３】
2020004008.tif 000005
【図４】
2020004008.tif 000006
【図５】
2020004008.tif 000007
【図６】
2020004008.tif 000008
【図７】
2020004008.tif 000009
【図８】
2020004008.tif 000010
【図９】
2020004008.tif 000011
【図１０】
2020004008.tif 000012
【図１１】
2020004008.tif 000013